(57)【要約】      （修正有）【課題】異なるサイズの被保持物でも支障なく保持できる保持装置の提供。【解決手段】所定の軸線を囲むように設けられた受け座２１と、一端が受け座２１と重なり他端が該軸線と直交する一径方向に延伸する上、該軸線を回動軸として回動可能になるように配置構成されており、且つその延伸端に第１の保持部３３が前方に突き出るように設けられている第１のアーム３０と、一端が受け座２１と重なり他端が該軸線に直交する他の一径方向に延伸する上、前記軸線を回動軸として回動可能になるように配置構成されており、且つその延伸端に第２の保持部４３が前方に突き出るように設けられている第２のアーム４０と、受け座２１から上方に伸縮可能に延伸し、その延伸端に第３の保持部５２が前方に突き出るように設けられている第３のアーム５０と、を具えていることを特徴とする保持装置。【選択図】図２
0003183264.tif 000002
【実用新案登録請求の範囲】
【請求項１】
被保持物を保持するための装置であって、
前後方向に延伸する所定の軸線を囲むように設けられた受け座を有するアーム受け部と、
一端が前記受け座と前後方向で重なり他端がそこから前記軸線と直交する一径方向に向かって延伸する上、前記軸線を回動軸として前記受け座の少なくとも下方で個別に回動可能になるように配置構成されており、且つその延伸端に第１の保持部が前方に向かって突き出るように設けられている第１のアームと、
一端が前記受け座及び前記第１のアームの前記一端と前後方向で重なり他端がそこから前記軸線に直交する他の一径方向に向かって延伸する上、前記軸線を回動軸として前記受け座の少なくとも下方で個別に回動可能になるように配置構成されており、且つその延伸端に第２の保持部が前方に向かって突き出るように設けられている第２のアームと、
前記アーム受け部から上方に向かって延伸し、且つその延伸方向に沿って伸縮可能になるように配置構成されている上、その延伸端に第３の保持部が前方に向かって突き出るように設けられている第３のアームと、
を具えており、
それにより、前記第１及び第２のアームを回動して前記第１及び第２の保持部を前記受け座の下方に適宜な間隔が空くようにおくことで前記被保持物を下から保持することができる上に、前記第３のアームを伸縮調整して前記第３の保持部を上から、前記第１及び第２の保持部を下から前記被保持物を挟むようにさせることで前記被保持物を固持することができることを特徴とする保持装置。
【請求項２】
前記第１、第２及び第３の保持部の間に前記被保持物に当接できるよう前方に面して設けられている押止ブロックと、回転されると該押止ブロックを前後方向に移動させることができるように後方から該押止ブロックと螺接されている位置調整つまみと、を有する押止ユニットを更に具えている
ことを特徴とする請求項１に記載の保持装置。
【請求項３】
前記アーム受け部は、前記受け座を前記軸線に沿って貫通するように設けられた受け孔を有しており、
前記押止ブロックは該受け孔の前方に、前記位置調整つまみは該受け孔の中にそれぞれ設けられている
ことを特徴とする請求項２に記載の保持装置。
【請求項４】
前記第１のアームは、その前記一端側に設けられ且つ前記受け座内に配置されている第１の摺動盤と、該第１の摺動盤から延伸している第１のアーム本体と、を有しており、
前記第１の保持部は、該第１のアーム本体の延伸端から前方に折れ曲がって延伸している第１の底壁と、該第１のアーム本体と対面するように該第１の底壁の延伸端から前記軸線と直交する径方向に折れ曲がって延伸している第１の定位壁と、該第１のアーム本体の延伸方向に沿って前記第１の底壁を貫通している第１の定位開口と、を有しており、
前記第２のアームは、その前記一端側に設けられ且つ前記受け座内に配置されている第２の摺動盤と、該第２の摺動盤から延伸している第２のアーム本体と、を有しており、
前記第２の保持部は、該第２のアーム本体の延伸端から前方に折れ曲がって延伸している第２の底壁と、該第２のアーム本体と対面するように該第２の底壁の延伸端から前記軸線と直交する径方向に折れ曲がって延伸している第２の定位壁と、該第２のアーム本体の延伸方向に沿って前記第２の底壁を貫通している第２の定位開口と、を有している
ことを特徴とする請求項１〜３のいずれか一項に記載の保持装置。
【請求項５】
前記第１の摺動盤と前記第２の摺動盤とは、互いに回転摺動できるように前後方向で重なっており、
前記第１の摺動盤は、前記第１のアームが前記軸線を回動軸として回動する際の回動方向に沿って、互いに間隔をおいて設けられている第１の上方係止部と第１の下方係止部とを有しており、
前記第２の摺動盤は、前記第２のアームが前記軸線を回動軸として回動する際の回動方向に沿って、互いに間隔をおいて設けられている第２の上方係止部と第２の下方係止部とを有しており、
且つ、前記第１のアームと前記第２のアームとが共により下方から上方に向かって所定の位置まで回動すると、前記第１の上方係止部と前記第２の上方係止部とが当接係止し、
前記第１のアームと前記第２のアームとが共により上方から下方に向かって所定の位置まで回動すると、前記第１の下方係止部と前記第２の下方係止部とが当接係止することができるように配置構成されており、
それにより、前記第１及び第２のアームを回動して前記第１及び第２の保持部を前記受け座の下方の左右両方の所定範囲にそれぞれおくことができる
ことを特徴とする請求項４に記載の保持装置。
【請求項６】
前記アーム受け部は、前記軸線と直交する上下方向に前記受け座を貫通するように設けられたガイドスロットを有しており、
前記第３のアームは、前記ガイドスロットを貫通するように且つ前記受け座に対して上下方向に摺動可能に設けられているスライドバーと、該スライドバーに前方から接触するように前記受け座内に設けられている摺動止めブロックと、該スライドバーを間に挟んで該摺動止めブロックに螺接されていると共にその一部が前記受け座より後方に突出している摺動止めつまみと、を有しており、
前記第３の保持部は該スライドバーの上端に設けられている
ことを特徴とする請求項１〜５のいずれか一項に記載の保持装置。
【請求項７】
前記スライドバーは、その下端から上下方向に沿って切り込まれるように設けられた切り込みと、その下端に設けられており前記スライドバーが上方に向かって所定の位置まで摺動した際に前記摺動止めブロックに当接係止される下端係止部と、を有しており、
前記摺動止めつまみは該切り込みを介して前記摺動止めブロックに螺接されている
ことを特徴とする請求項６に記載の保持装置。
【請求項８】
前記第３の保持部は、前記スライドバーの上端から前方に折れ曲がって延伸している頂壁と、前記スライドバーと対面するように該頂壁の延伸端から下方に折れ曲がって延伸している上方定位壁と、を有しており、
前記上方定位壁と前記頂壁と前記スライドバーとにより囲まれることでこれらの間に上方定位溝が画成されている
ことを特徴とする請求項６または７に記載の保持装置。
【請求項９】
緩衝材が、前記押止ブロック、前記第１のアーム、前記第２のアーム、前記第３のアームの内の少なくとも一つに設けられている
ことを特徴とする請求項２に記載の保持装置。
【請求項１０】
前後方向に揺動できるように前記受け座に枢結されている後方支持アームを更に具えている
ことを特徴とする請求項１〜９のいずれか一項に記載の保持装置。
【考案の詳細な説明】
【技術分野】
【０００１】
本考案は、保持装置に関し、特に携帯式電子機器などを保持するための装置に関するものである。
【背景技術】
【０００２】
携帯式電子機器、例えばタブレットコンピュータなどは、携帯時に保護手段としたり使用時に固定手段としたりするための保持装置と共に用いられることが多い。
【０００３】
特許文献１に示したのは、上記のような保持装置の一例である。該考案によれば、保持板４０の四角に保持手段である保持爪４０１がそれぞれ突設されており、これら保持爪４０１にタブレットコンピュータの四角を嵌め込んで固定している。
【先行技術文献】
【特許文献】
【０００４】
【特許文献１】台湾登録実用新案第Ｍ４２８６９４号明細書
【考案の概要】
【考案が解決しようとする課題】
【０００５】
しかしながら、上記のような保持装置では、各保持手段間の間隔が固定されているので、サイズが異なる電子機器に同一の保持装置を用いることができず、電子機器のサイズによって別々の保持装置を用いる必要があり、使用者にとって不便であった。また、保持手段の間隔と、保持したい電子機器のサイズと、がぴったりでないと、両者の間に隙間ができることで電子機器ががたついたりして保持が不安定になるという問題点もあった。
【０００６】
本考案は、これらの問題点に鑑みてなされたものであり、異なるサイズの被保持物でも、支障なく保持することができる保持装置の提供を目的とする。
【課題を解決するための手段】
【０００７】
上記目的を達成するために、本考案は、以下の手段を提供する。即ち、
被保持物を保持するための装置であって、前後方向に延伸する所定の軸線を囲むように設けられた受け座を有するアーム受け部と、一端が前記受け座と前後方向で重なり他端がそこから前記軸線と直交する一径方向に向かって延伸する上、前記軸線を回動軸として前記受け座の少なくとも下方で個別に回動可能になるように配置構成されており、且つその延伸端に第１の保持部が前方に向かって突き出るように設けられている第１のアームと、一端が前記受け座及び前記第１のアームの前記一端と前後方向で重なり他端がそこから前記軸線に直交する他の一径方向に向かって延伸する上、前記軸線を回動軸として前記受け座の少なくとも下方で個別に回動可能になるように配置構成されており、且つその延伸端に第２の保持部が前方に向かって突き出るように設けられている第２のアームと、前記アーム受け部から上方に向かって延伸し、且つその延伸方向に沿って伸縮可能になるように配置構成されている上、その延伸端に第３の保持部が前方に向かって突き出るように設けられている第３のアームと、を具えていることを特徴とする保持装置を提供する。
【考案の効果】
【０００８】
上記構成によれば、第１のアームと第２のアームとが回動可能に配置構成されているので、第１のアームと第２のアームとを回動して第１及び第２の保持部を前記受け座の下方に適宜な間隔が空くようにおくことで異なる幅の被保持物でも下から支障なく保持することができる。また更に上下方向に伸縮可能な第３のアームを有しているので、第３の保持部の位置を適宜に伸縮調整することで異なる高さの被保持物でも上から支障なく下方にある前記第１及び第２の保持部と共に上下から挟んで安定して保持することができる。
【図面の簡単な説明】
【０００９】
【図１】本考案の好ましい実施形態に係る保持装置を示す分解斜視図である。
【図２】本考案の好ましい実施形態に係る保持装置を示す組み立て斜視図である。
【図３】本考案の好ましい実施形態に係る保持装置が被保持物を保持している態様を示す背面斜視図である。
【図４】本考案の好ましい実施形態に係る保持装置を示す縦断面図である。
【図５】本考案の好ましい実施形態に係る保持装置が被保持物を保持している態様を示す縦断面図である。
【図６】本考案の好ましい実施形態に係る保持装置において第１及び第２のアームの間隔が狭められた状態を示す概略図である。
【図７】本考案の好ましい実施形態に係る保持装置において第１及び第２のアームの間隔が広げられた状態を示す概略図である。
【図８】本考案の好ましい実施形態に係る保持装置の一使用態様を示す斜視図である。
【図９】本考案の好ましい実施形態に係る保持装置の他の一使用態様を示す斜視図である。
【考案を実施するための形態】
【００１０】
以下、添付図面を参照しながら、本考案の具体的な実施形態を仔細に説明する。
【００１１】
図１は、以下に説明する本考案の好ましい実施形態に係る保持装置２００の構造を示す分解斜視図であり、図２はその組み立て斜視図、図３は該装置により被保持物９０（例えば、タブレットコンピュータ）が保持されている態様を示す背面斜視図である。
【００１２】
保持装置２００は、アーム受け部２０と、そこからそれぞれ伸びている３本のアーム、つまり第１のアーム３０、第２のアーム４０及び第３のアーム５０と、押止ユニット６０と、緩衝ユニット７０と、後方支持アーム８０と、を有している。
【００１３】
アーム受け部２０は、前後方向に延伸する所定の軸線Ｘを囲むように設けられた受け座２１を有しており、受け座２１には、軸線Ｘに沿ってこれを貫通している受け孔２３と、軸線Ｘと直交する上下方向にこれを貫通しているガイドスロット２２と、がそれぞれ設けられている。
【００１４】
第１のアーム３０は、その一端が受け座２１と前後方向で重なり他端がそこから軸線Ｘと直交する一径方向（図示では略下方向）に向かって延伸する上、軸線Ｘを回動軸として受け座２１の少なくとも下方で個別に回動可能（本実施形態では受け座２１の右下側の所定範囲内で回動可能；図２参照）になるように配置構成されている。
【００１５】
本実施形態では、第１のアーム３０は、上記一端側に設けられ且つ受け座２１内に配置されている円盤状の第１の摺動盤３１と、この第１の摺動盤３１から上記右下側へ延伸している第１のアーム本体３２と、からなっており、その延伸端に被保持物を支えるための第１の保持部３３が前方に向かって突き出るように設けられている。
【００１６】
第１の保持部３３は、第１のアーム本体３２の延伸端から前方に向かって折れ曲がって延伸している第１の底壁３３３と、第１のアーム本体３２と対面するように第１の底壁３３３の延伸端から軸線Ｘと直交する径方向（図示では略上方向）に折れ曲がって前記軸線Ｘの方へ延伸している第１の定位壁３３１と、第１のアーム本体３２の延伸方向に沿って第１の底壁３３３を貫通している第１の定位開口３３２と、を有している。
【００１７】
第２のアーム４０の構造は、上述した第１のアーム３０のそれと類似しており、その一端が受け座２１及び第１のアーム３０の上記一端と前後方向で重なり他端がそこから軸線Ｘと直交する他の一径方向に向かって延伸する上、軸線Ｘを回動軸として受け座２１の少なくとも下方で個別に回動可能（本実施形態では受け座２１の左下側の所定範囲内で回動可能；図２参照）になるように配置構成されている。
【００１８】
本実施形態では、第２のアーム４０は、上記一端側に設けられ且つ受け座２１内に配置されている円盤状の第２の摺動盤４１と、この第２の摺動盤４１から上記左下側へ延伸している第２のアーム本体４２と、からなっており、その延伸端に被保持物を支えるための第２の保持部４３が前方に向かって突き出るように設けられている。
【００１９】
第２の保持部４３は、第２のアーム本体４２の延伸端から前方に向かって折れ曲がって延伸している第２の底壁４３３と、第２のアーム本体４２と対面するように第２の底壁４３３の延伸端から軸線Ｘと直交する径方向（図示では略上方向）に折れ曲がって前記軸線Ｘの方へ延伸している第２の定位壁４３１と、第２のアーム本体４２の延伸方向に沿って第２の底壁４３３を貫通している第２の定位開口４３２と、を有している。
【００２０】
上記の構成により、第１及び第２のアーム３０、４０を回動して各アームの先端に設けられている第１及び第２の保持部３３、４３を受け座２１の下方で被保持物９０の幅に対応した適宜な間隔が空くようにおくことで、被保持物９０を下から保持することができる。
【００２１】
つまり、第１及び第２のアーム３０、４０を回動して第１及び第２の保持部３３、４３の間隔を変えることで、保持したい被保持物９０の幅がそれぞれ異なっても下から支障なく保持することができる。更に、被保持物９０の下側の左右の角をそれぞれ第１及び第２の定位開口３３２、４３２に嵌め入れることで、被保持物９０をより安定して保持することができる（図８及び図９参照）。
【００２２】
また、上記構成において、第１のアーム３０の第１の摺動盤３１と第２のアーム４０の第２の摺動盤４１とは、それぞれ受け座２１内で互いに回転摺動できるように共に所定の軸線Ｘを中心に前後方向に重なっている。
【００２３】
第１の摺動盤３１は、第１のアーム３０が軸線Ｘを回動軸として回動する際の回動方向に沿って、互いに間隔をおいて前方に突出するように第１の摺動盤３１の上方に設けられている第１の上方係止部３１１と、下方に設けられている第１の下方係止部３１２と、を有している。
【００２４】
第２の摺動盤４１は、第２のアーム４０が軸線Ｘを回動軸として回動する際の回動方向に沿って、互いに間隔をおいて前方に突出するように第２の摺動盤４１において第１の上方係止部３１１と対応するように上方に設けられている第２の上方係止部４１１と、第１の下方係止部３１２と対応するように下方に設けられている第２の下方係止部４１２と、を有している。
【００２５】
第１のアーム３０と第２のアーム４０とが共により下方から上方に向かって所定の位置まで回動すると、第１のアーム３０側の第１の上方係止部３１１と、第２のアーム４０側の第２の上方係止部４１１と、が当接して係止される（図７参照）。また逆に、第１のアーム３０と第２のアーム４０とが共により上方から下方に向かって所定の位置まで回動すると、第１のアーム３０側の第１の下方係止部３１２と、第２のアーム４０側の第２の下方係止部４１２と、が当接して係止される（図６参照）。
【００２６】
なお、第１及び第２の上方係止部３１１、４１１が当接する位置と、第１及び第２の下方係止部３１２、４１２が当接する位置と、は、両者とも受け座２１のガイドスロット２２の延伸方向上に来るように配置構成されている。
【００２７】
上記の構成により、第１及び第２のアーム３０、４０を回動することで第１及び第２の保持部３３、４３をそれぞれ受け座２１の下方で左右両方の所定の範囲にそれぞれおくことができ、つまりは第１及び第２のアーム３０、４０の上方に向かう回動及び下方に向かう回動をそれぞれ所定の幅、例えば図示における図６と図７との間の幅に制限することができる。
【００２８】
第３のアーム５０は、主に図１、図２、図３に示されているように、アーム受け部２０から上方に向かって延伸し、且つその延伸方向に沿って伸縮可能になるように配置構成されている。
【００２９】
本実施形態において、第３のアーム５０は、上記のように受け座２１に上下方向に設けられているガイドスロット２２を貫通するようにガイドスロット２２に挿入されており、且つ受け座２１に対して上下方向に摺動可能に設けられているスライドバー５１と、第３のアーム５０の延伸端、つまりスライドバー５１の上端に前方に向かって突き出るように設けられている第３の保持部５２と、を有している。
【００３０】
第３の保持部５２は、スライドバー５１の上端から前方に折れ曲がって延伸している頂壁５２３と、スライドバー５１と対面するように頂壁５２３の延伸端から下方に折れ曲がって延伸している上方定位壁５２１と、を有している。また、これら上方定位壁５２１、頂壁５２３及びスライドバー５１の一部により囲まれることでこれらの間に上方定位溝５２２が画成されている。
【００３１】
上記の構成により、第３のアーム５０を上下方向に伸縮調整して第３の保持部５２により上から、一方、第１及び第２の保持部３３、４４により下から被保持物９０を挟み込むようにさせることで、被保持物９０を固持することができる。更に、被保持物９０の高さに対応するように第３のアーム５０の伸縮を調整して被保持物９０の上部を上方定位溝５２２に嵌め込むことにより、高さが異なる被保持物でも支障なく保持することができる。
【００３２】
また、本実施形態においては、第３のアーム５０は更に、スライドバー５１に前方から接触するように受け座２１内に設けられている摺動止めブロック５３と、スライドバー５１を間に挟んで摺動止めブロック５３に螺接されていると共にその一部が受け座２１より後方に突出している摺動止めつまみ５４と、を有している。
【００３３】
スライドバー５１は、その下端から上下方向に沿って切り込まれるように設けられた切り込み５１１と、その下端に設けられておりスライドバー５１が上方に向かって所定の位置まで摺動した際に摺動止めブロック５３に当接する下端係止部５１２と、を有しており、摺動止めつまみ５４はこの切り込み５１１を介して摺動止めブロック５３に螺接されている。
【００３４】
これにより、摺動止めつまみ５４を摺動止めブロック５３との螺入が深くなることで両者の間隔が狭まる方向に回転させると、スライドバー５１がこれらの間に挟まれて固定される。逆に摺動止めつまみ５４を摺動止めブロック５３との螺入が浅くなることで両者の間隔が離れる方向に回転させると、挟止が解除されスライドバー５１は再び摺動できるようになる。また、スライドバー５１が上方いっぱいに摺動された際には、下端係止部５１２が摺動止めブロック５３に当接しスライドバー５１のそれ以上の摺動が係止されるので、スライドバー５１が受け座２１から脱落することが防がれている。
【００３５】
押止ユニット６０は、第１、第２及び第３の保持部３３、４３、５２の間に、本実施形態では受け座２１の受け孔２３の前方で且つ第２の摺動盤４１に前方から当接する位置に、被保持物に当接できるよう前方に面して設けられている押止ブロック６１と、受け孔２３の中に設けられており、回転されると押止ブロック６１を前後方向に移動させることができるように後方から押止ブロック６１と螺接されている位置調整つまみ６２と、を有している。
【００３６】
上記構成により、図４及び図５で対比して示されているように、位置調整つまみ６２を所定方向に回転させて押止ブロック６１を前方に移動させると、押止ブロック６１が被保持物９０を背面から前方に押し出すので、被保持物９０の前面が第１、第２、第３の保持部３３、４４、５２それぞれの第１及び第２の定位壁３３１、４３１と上方定位壁５２１とに当接されて被保持物９０が押止される（図５参照）。これにより、被保持物の厚みが多少異なっても、安定して保持することができる。また反対に、位置調整つまみ６２を所定方向の反対の方向に回転させて押止ブロック６１を後方に移動させると、被保持物９０の押止状態を解除することができる。
【００３７】
なお、本実施形態では、押止ユニット６０をアーム受け部２０に設け、またその数量は押止ブロック６１、位置調整つまみ６２各１つであるが、これに限らず、たとえば第１のアーム３０、第２のアーム４０、第３のアーム５０のうち少なくとも一箇所に設けてもよく、あるいは複数設けても構わない。
【００３８】
緩衝ユニット７０は、主に図１、図４、図５に示されているように、押止ブロック６１の前面、第１のアーム本体３２の前面、第２のアーム本体４２の前面、第３のアーム５０の上方定位溝５２２内にそれぞれ設けられている緩衝材７１を含んでいる。これら緩衝材７１は、保持装置２００と被保持物９０との間における緩衝効果及び滑り止め効果をもたらすためのものであり、被保持物の保持をより安定させることができる。なお、緩衝材７１は上述した各箇所のうちの少なくとも一箇所に設けるだけでも構わない。
【００３９】
後方支持アーム８０は、主に図１、図３、図５に示されているように、前後方向に揺動できるように受け座２１に枢結されている。例えば被保持物である電子機器を卓上に立たせて使用したい時は、図５のように後方支持アーム８０の位置を後方に調節することにより保持装置２００を立たせることができる。
【００４０】
以上総括すると、本考案に係る保持装置２００は、例えば図８、図９に示されているように、被保持物９０の幅に合わせて第１及び第２のアーム３０、４０を回動させて第１及び第２の保持部３３、４４の間隔を調節することにより、幅が異なる被保持物でも支障なく保持することができる。また被保持物９０の高さに合わせて第３のアーム５０を上下方向に摺動させて上方保持部５２の位置を調節することにより、高さが異なる被保持物でも支障なく保持することができる。
【００４１】
以上、本考案の好ましい実施形態を説明したが、本考案はこれに限定されるものではなく、その要旨を逸脱しない範囲で種々変更可能であることはいうまでもない。
【符号の説明】
【００４２】
２００      保持装置
９０        被保持物
２０        アーム受け部
２１        受け座
２２        ガイドスロット
２３        受け孔
３０        第１のアーム
３１        第１の摺動盤
３１１      第１の上方係止部
３１２      第１の下方係止部
３２        第１のアーム本体
３３        第１の保持部
３３１      第１の定位壁
３３２      第１の定位開口
３３３      第１の底壁
４０        第２のアーム
４１        第２の摺動盤
４１１      第２の上方係止部
４１２      第２の下方係止部
４２        第２のアーム本体
４３        第２の保持部
４３１      第２の定位壁
４３２      第２の定位開口
４３３      第２の底壁
５０        第３のアーム
５１        スライドバー
５１１      切り込み
５１２      下端係止部
５２        第３の保持部
５３        摺動止めブロック
５４        摺動止めつまみ
５２１      上方定位壁
５２２      上方定位溝
５２３      頂壁
６０        押止ユニット
６１        押止ブロック
６２        位置調整つまみ
７０        緩衝ユニット
７１        緩衝材
８０        後方支持アーム
【図１】
0003183264.tif 000003
【図２】
0003183264.tif 000004
【図３】
0003183264.tif 000005
【図４】
0003183264.tif 000006
【図５】
0003183264.tif 000007
【図６】
0003183264.tif 000008
【図７】
0003183264.tif 000009
【図８】
0003183264.tif 000010
【図９】
0003183264.tif 000011